(57)【要約】【課題】高額な電力量計の設置を必要とせず、室内空気環境を損なわずに空気調和機の使用電力量を年間を通じて低減する。【解決手段】制御状態検出手段４により検出された空気調和機２の同一運転モード連続運転時間が目標連続運転時間入力手段５により入力された時間に達すると、空気調和機２の運転状態を能力制御設定入力手段６により入力された運転モード、設定温度、設定風量を組み合わせた制御設定に従い能力制御する。これによって、空気調和機の使用電力量の削減が図れるものである。【選択図】図１ 
2005140472.tif 000002
【特許請求の範囲】
【請求項１】
複数台の空気調和機の制御状態を検出する制御状態検出手段と、前記空気調和機の同一運転モードの目標連続運転時間を入力する目標連続運転時間入力手段と、前記空気調和機の能力制御設定を入力する能力制御設定入力手段と、前記制御状態検出手段からの出力に基いて前記空気調和機の同一運転モード連続運転時間を演算する連続運転時間演算手段と、電力調整手段を具備した遠隔制御装置であって、前記電力調整手段が前記目標連続運転時間入力手段および前記能力制御設定入力手段ならびに前記連続運転時間演算手段の出力に基いて、前記空気調和機の能力制御を行うことを特徴とする遠隔制御装置。
【請求項２】
空気調和機毎に目標連続運転時間を設定することを特徴とした、請求項１記載の遠隔制御装置。
【請求項３】
空気調和機毎に能力制御する時間を設定する能力制御時間入力手段を設けたことを特徴とした、請求項１記載の遠隔制御装置。
【請求項４】
空気調和機毎に能力制御時の運転モードを設定することを特徴とした、請求項１記載の遠隔制御装置。
【請求項５】
空気調和機毎に能力制御時の設定温度シフト幅を設定することを特徴とした、請求項１記載の遠隔制御装置。
【請求項６】
空気調和機毎に能力制御時の設定風量を設定することを特徴とした、請求項１記載の遠隔制御装置。
【請求項７】
設定温度シフト幅を外気温度に応じて可変することを特徴とした、請求項５記載の遠隔制御装置。
【発明の詳細な説明】
【技術分野】
【０００１】
本発明は、空気調和機の遠隔制御装置に関するものである。
【背景技術】
【０００２】
従来、この種の遠隔制御装置では、例えば図４に記載された遠隔制御装置があった。
【０００３】
図４において、電力量に対する発信装置付電力量計１０６からのパルス信号を信号線１０８を介して入力するパルス信号入力部１０２と、パルス信号から時限最終時のデマンド電力を予測算出する予測デマンド電力算出手段１０３と、設定されたデマンド値と予測デマンド電力算出手段１０３で求められた予測デマンド値を比較し、電力調整制御手段を決定する電力調整手段１０４と、空気調和機１０７を制御する制御信号出力部１０５とを備えた端末機１０１を設け、端末機１０１は予測デマンド電力算出手段１０３で求められた予測デマンド値が設定デマンド値を超過したとき電力調整手段１０４で決定された制御信号を制御信号出力部１０５から出力し空気調和機１０７の停止制御を行っていた（例えば、特許文献１参照）。
【特許文献１】特開平１−１１４６５５号公報
【発明の開示】
【発明が解決しようとする課題】
【０００４】
しかしながら、前記従来の構成では、最大需要電力を削減するために遠隔制御装置により予測デマンド電力算出手段１０３からの予測デマンド値をもとに設定電力になるように空気調和機１０７を制御していた。このため空気調和機の使用電力量を低減できるのは、一般に夏場の外気温度が高い日中または冬場の外気温度が低い朝夕に限られてしまう課題を有していた。また、使用電力データを遠隔地に発信するための高額な発信装置付電力量計１０６が必要であり、発信装置付電力量計１０６から端末機１０１までの信号線１０８とそれに伴う工事が必要となる課題を有していた。
【０００５】
本発明は、前記従来の課題を解決するもので、設定された目標連続運転時間を検知すると設定された制御状態に従い空気調和機の使用電力量を低減するように運転状態を制御することで高額な発信装置付電力量計が不要で年間を通じた使用電力量の低減ができる遠隔制御装置を提供することを目的とする。
【課題を解決するための手段】
【０００６】
前記従来の課題を解決するために本発明の遠隔制御装置は、複数台の空気調和機の制御状態を検出する制御状態検出手段と、前記空気調和機の同一運転モードの目標連続運転時間を入力する目標連続運転時間入力手段と、前記空気調和機の能力制御設定を入力する能力制御設定入力手段と、前記制御状態検出手段からの出力に基いて前記空気調和機の同一運転モード連続運転時間を演算する連続運転時間演算手段と、電力調整手段を具備した遠隔制御装置であって、前記電力調整手段が前記目標連続運転時間入力手段および前記能力制御設定入力手段ならびに前記連続運転時間演算手段の出力に基いて、前記空気調和機の能力制御を行うものである。
【０００７】
これによって、発信装置付電力量計からの信号による最大需要電力に関係なく年間を通じて空気調和機の使用電力量を低減することができる。
【発明の効果】
【０００８】
本発明の遠隔制御装置は、最大需要電力に関係なく年間を通じて空気調和機の使用電力量を低減することができる。
【発明を実施するための最良の形態】
【０００９】
第１の発明は、複数台の空気調和機の制御状態を検出する制御状態検出手段と、前記空気調和機の同一運転モードの目標連続運転時間を入力する目標連続運転時間入力手段と、前記空気調和機の能力制御設定を入力する能力制御設定入力手段と、前記制御状態検出手段からの出力に基いて前記空気調和機の同一運転モード連続運転時間を演算する連続運転時間演算手段と、電力調整手段を具備した遠隔制御装置であって、前記電力調整手段が前記目標連続運転時間入力手段および前記能力制御設定入力手段ならびに前記連続運転時間演算手段の出力に基いて、前記空気調和機の能力制御を行うもので、この構成をなすことにより、空気調和機の使用電力量低減をすることができる。
【００１０】
第２の発明は、特に、第１の発明の目標連続運転時間を空気調和機毎に容易に設定できることにより、それぞれの室内環境に適した空気調和機の使用電力量低減をすることができる。
【００１１】
第３の発明は、特に、第１の発明の能力制御する時間を能力制御時間入力手段で空気調和機毎に容易に設定できることにより、それぞれの使用状況や条件に適した空気調和機の使用電力量低減をすることができる。
【００１２】
第４の発明は、特に、第１の発明の能力制御時の運転モードを空気調和機毎に容易に設定できることにより、それぞれの使用状況や条件に適した空気調和機の使用電力量低減をすることができる。
第５の発明は、特に、第１の発明の能力制御時の設定温度シフト幅を空気調和機毎に容易に設定できることにより、それぞれの使用状況や条件に適した空気調和機の使用電力量低減をすることができる。
第６の発明は、特に、第１の発明の能力制御時の設定風量を空気調和機毎に容易に設定できることにより、それぞれの使用状況や条件に適した空気調和機の使用電力量低減をすることができる。
第７の発明は、特に、第５の発明の設定温度シフト幅を外気温度に応じて可変することにより、それぞれの使用状況や条件に適した空気調和機の使用電力量低減をすることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における遠隔制御装置１のブロック図を示すものである。
【００１５】
同図において、遠隔制御装置１は、制御状態検出手段４、目標連続運転時間入力手段５、能力制御設定入力手段６、連続運転時間演算手段７、電力調整手段８から構成されている。
【００１６】
制御状態検出手段４は、複数台の空気調和機２（２Ａ、２Ｂ、・・・、２ｎ）の現在の運転状態（運転，停止，運転モード，設定温度，設定風量吸い込み温度）を検出する。目標連続運転時間入力手段５は、空気調和機の能力制御をするまでの時間（例：６０分）を入力する。
【００１７】
能力制御設定入力手段６は、空気調和機を能力制御するときの運転状態（例：運転停止）を入力する。
【００１８】
連続運転時間演算手段７は、制御状態検出手段４で検出した空気調和機の運転状態を監視し、運転中で運転モードに変化がない場合に運転時間をカウントする。
【００１９】
電力調整手段８は、連続運転時間演算手段７でカウントされた連続運転時間と、目標連続運転時間入力手段５で設定された連続運転時間を監視し、カウントされた連続運転時間が目標連続運転時間に達すると能力制御設定入力手段６で設定された運転モード、設定温度、設定風量を組み合わせた運転状態になるように信号線３を介して複数の空気調和機２へ能力制御信号を送り所定時間能力制御を行う。以降この動作を繰り返す。
【００２０】
以上のように構成された遠隔制御装置は、制御状態検出手段４により検出された複数台の空気調和機２の連続運転時間を連続運転時間演算手段７により演算し目標連続運転時間入力手段５により入力された連続運転時間に達すると能力制御設定入力手段６で設定された運転状態になるように複数台の空気調和機２を所定時間能力制御するものである。
【００２１】
したがって最大需要電力に関係なく年間を通じて空気調和機の使用電力量を低減することができる。
【００２２】
また、最大需要電力を計測する必要がないため、高額な発信装置付電力量計を必要とせず、発信装置付電力量計から遠隔制御装置１までの信号線とこれに伴う工事を不要とすることができる。
【００２３】
尚、目標連続運転時間入力手段５、能力制御設定入力手段６への入力はパソコンの他、キー入力手段とマウス入力手段とタッチパネル入力手段のいずれかと画面を持つ入力手段を使用しても良い。
【００２４】
（実施の形態２）
図１は、本発明の第２の実施の形態における遠隔制御装置１のブロック図を示すものである。同図において、実施の形態１で説明した部分については同じ符号を用い説明を省略する。
【００２５】
目標連続運転時間入力手段５は、空気調和機２の同一モード連続運転可能な時間を空気調和機毎に入力する（例：２Ａ＝６０分、２Ｂ＝３０分、２ｎ＝１０分）。
【００２６】
以上のように構成された遠隔制御装置は、制御状態検出手段４により検出された複数台の空気調和機２の連続運転時間を連続運転時間演算手段７により演算し目標連続運転時間入力手段５により入力された空気調和機毎の連続運転時間に達すると能力制御設定入力手段６で設定された運転状態になるように空気調和機毎に所定時間能力制御するものである。したがってそれぞれの使用状況や条件に適した空気調和機毎の使用電力量低減をすることができる。
【００２７】
（実施の形態３）
図２は、本発明の第３の実施の形態における遠隔制御装置１のブロック図を示すものである。図２において、実施の形態１で説明した部分については同じ符号を用い説明を省略する。
【００２８】
能力制御時間入力手段９は、空気調和機２を能力制御する時間を空気調和機毎に入力する（例：２Ａ＝５分、２Ｂ＝４分、２ｎ＝３分）。
【００２９】
以上のように構成された遠隔制御装置は、制御状態検出手段４により検出された複数台の空気調和機２の連続運転時間を連続運転時間演算手段７により演算し目標連続運転時間入力手段５により入力された連続運転時間に達すると能力制御設定入力手段６で設定された運転状態になるように能力制御時間入力手段９で設定された空気調和機毎の所定時間、能力制御するものである。したがってそれぞれの使用状況や条件に適した空気調和機毎の使用電力量低減をすることができる。
【００３０】
（実施の形態４）
図１は、本発明の第４の実施の形態における遠隔制御装置１のブロック図を示すものである。同図において、実施の形態１で説明した部分については同じ符号を用い説明を省略する。
【００３１】
能力制御設定入力手段６は、空気調和機２の使用電力量を所定時間低減するための運転モードを空気調和機毎に入力する（例：２Ａ＝ドライ運転、２Ｂ＝送風運転、２ｎ＝運転停止）。
【００３２】
以上のように構成された遠隔制御装置は、制御状態検出手段４により検出された複数台の空気調和機２の連続運転時間を連続運転時間演算手段７により演算し目標連続運転時間入力手段５により入力された連続運転時間に達すると能力制御設定入力手段６で設定された空気調和機毎の運転モードになるように所定時間能力制御するものである。
【００３３】
したがってそれぞれの使用状況や条件に適した空気調和機毎の使用電力量低減をすることができる。
【００３４】
（実施の形態５）
図１は、本発明の第５の実施の形態における遠隔制御装置１のブロック図を示すものである。同図において、実施の形態１で説明した部分については同じ符号を用い説明を省略する。
【００３５】
能力制御設定入力手段６は、空気調和機２の使用電力量を所定時間低減するための設定温度シフト幅を空気調和機毎に入力する（例：２Ａ＝３℃、２Ｂ＝２℃、２ｎ＝１℃）。
【００３６】
以上のように構成された遠隔制御装置は、制御状態検出手段４により検出された複数台の空気調和機２の連続運転時間を連続運転時間演算手段７により演算し目標連続運転時間入力手段５により入力された連続運転時間に達すると能力制御設定入力手段６で設定された空気調和機毎の設定温度シフトを冷房モードで設定温度を高く、暖房モードで設定温度を低くなるように所定時間能力制御するものである。したがってそれぞれの使用状況や条件に適した空気調和機毎の使用電力量低減をすることができる。
【００３７】
（実施の形態６）
図１は、本発明の第６の実施の形態における遠隔制御装置１のブロック図を示すものである。同図において、実施の形態１で説明した部分については同じ符号を用い説明を省略する。
【００３８】
能力制御設定入力手段６は、空気調和機２の使用電力量を所定時間低減するための設定風量を空気調和機毎に入力する（例：２Ａ＝中風、２Ｂ＝弱風、２ｎ＝微弱風）。
【００３９】
以上のように構成された遠隔制御装置は、制御状態検出手段４により検出された複数台の空気調和機２の連続運転時間を連続運転時間演算手段７により演算し目標連続運転時間
入力手段５により入力された連続運転時間に達すると能力制御設定入力手段６で設定された空気調和機毎の設定風量になるように所定時間能力制御するものである。したがってそれぞれの使用状況や条件に適した空気調和機毎の使用電力量低減をすることができる。
【００４０】
（実施の形態７）
図３は、本発明の第７の実施の形態における遠隔制御装置１のブロック図を示すものである。図３において、実施の形態１で説明した部分については同じ符号を用い説明を省略する。
【００４１】
能力制御設定入力手段６は、空気調和機２の使用電力量を所定時間低減するための設定温度シフト幅（Ｔｓ）を外気温度検出手段１０により測定された外気温度（Ｔｏ）により自動的に入力される（例：Ｔｏ＝３０℃のときＴｓ＝１℃、Ｔｏ＝３５℃のときＴｓ＝２℃）。
【００４２】
以上のように構成された遠隔制御装置は、制御状態検出手段４により検出された複数台の空気調和機２の連続運転時間を連続運転時間演算手段７により演算し目標連続運転時間入力手段５により入力された連続運転時間に達すると能力制御設定入力手段６で入力された外気温度毎の温度シフト幅に応じて複数台の空気調和機２を所定時間能力制御するものである。したがって快適性を損なうことなく空気調和機の使用電力量を低減できる。
【産業上の利用可能性】
【００４３】
以上のように、本発明にかかる遠隔制御装置は、最大需要電力に関係なく年間を通じて空気調和機の使用電力量を低減することが可能となるので、照明設備や給排気ファン等の一般設備機器の使用電力量低減にも適用できる。
【図面の簡単な説明】
【００４４】
【図１】本発明の実施の形態１、２および４〜６における遠隔制御装置のブロック図
【図２】本発明の実施の形態３における遠隔制御装置のブロック図
【図３】本発明の実施の形態７における遠隔制御装置のブロック図
【図４】従来の遠隔制御装置のブロック図
【符号の説明】
【００４５】
１  遠隔制御装置
２  空気調和機
３  信号線
４  制御状態検出手段
５  目標連続運転時間入力手段
６  能力制御設定入力手段
７  連続運転時間演算手段
８  電力調整手段
９  能力制御時間入力手段
１０  外気温度検出手段
【図１】
2005140472.tif 000003
【図２】
2005140472.tif 000004
【図３】
2005140472.tif 000005
【図４】
2005140472.tif 000006